(57)【特許請求の範囲】
【請求項１】
複数のサービスコンポーネントを有するサービスが複数一括して１つの送信周波数により放送されるアンサンブルを受信するデジタルオーディオ放送の受信機において、
受信したアンサンブル自体の情報、そのアンサンブルに含まれるサービスやサービスコンポーネントの情報の少なくとも一つを含むアンサンブルの情報を表示する表示部と、
前記表示部の表示画面を切り替えるキーを監視し、その操作を検出して所定範囲の情報内容を表示する情報表示画面に切り替えるキー監視部と、
前記アンサンブルの情報を分類し、その分類した情報を前記切り替え後の情報表示画面に適合するように編集して表示する表示処理部と、を備えることを特徴とするデジタルオーディオ放送の受信機。
【請求項２】
前記表示処理部は、前記アンサンブルに含まれる複数のサービスのラベルと前記サービスに含まれるサービスコンポーネントの情報種別を示すマークの組み合わせを表示する、ことを特徴とする請求項１に記載のデジタルオーディオ放送の受信機。
【請求項３】
さらに、前記キー監視部が所定のキー操作を検出して該情報種別毎に画面を順次切り替えると、前記表示処理部は切り替え画面の情報種別に属するサービスコンポーネントとそれを含む前記サービスを選別してそのサービスラベルとマークの組合せを表示する、ことを特徴とする請求項２に記載のデジタルオーディオ放送の受信機。
【請求項４】
前記情報種別は、オーディオ、交通情報、ページングデータ、緊急情報、一般データの中の一つであることを特徴とする、請求項３に記載のデジタルオーディオ放送の受信機。
【請求項５】
前記表示処理部は、前記情報種別がオーディオのサービスコンポーネントを含むサービスに対し、オーディオの前記マークを、ＰＡＤ情報に基づいて情報種別が音楽であるミュージック又は会話であるスピーチのマークに変更して表示することを特徴とする、請求項４に記載のデジタルオーディオ放送の受信機。
【請求項６】
前記キー監視部が所定のキー操作を検出して番組表示画面に切り替えると、前記表示処理部は前記アンサンブルに含まれる複数のサービスのラベルと前記サービスの番組タイプとを表示する、ことを特徴とする請求項１に記載のデジタルオーディオ放送の受信機。
【請求項７】
さらに、前記キー監視部が画面切り替えのキー操作を検出して番組タイプ毎の表示画面又は全ての番組タイプの表示画面に順次切り替えると、前記表示処理部は各切り替え画面に対応する番組タイプのサービスを選別してその番組タイプとサービスラベルとを表示する、ことを特徴とする請求項６に記載のデジタルオーディオ放送の受信機。
【請求項８】
前記番組タイプは、スポーツ、ニュース、ドラマ、ポップ、ロック、ライトクラシックなどの中の一つであることを特徴とする、請求項７に記載のデジタルオーディオ放送の受信機。
【請求項９】
前記表示処理部は、前記アンサンブルの情報と共に該情報の更新時刻を表示する制御を行うことを特徴とする、請求項１に記載のデジタルオーディオ放送の受信機。
【請求項１０】
前記表示処理部は、前記番組タイプの種類の表示と共に番組の開始時刻を表示する制御を行うことを特徴とする、請求項６に記載のデジタルオーディオ放送の受信機。
【請求項１１】
前記受信データ制御部は、受信中のオーディオのサービスコンポーネントのエラー状況を検出して、該エラー状況を前記アンサンブルの情報と共に表示するように前記表示部を制御することを特徴とする、請求項１に記載のデジタルオーディオ放送の受信機。
【請求項１２】
前記表示部は、発光ダイオードを有しており、
前記受信データ制御部は、受信中のアンサンブルの多重再構成の発生を検出すると、前記発光ダイオードを点滅して多重再構成の発生を事前に通知することを特徴とする、請求項１に記載のデジタルオーディオ放送の受信機。
【請求項１３】
前記受信データ制御部は、緊急情報受信時に表示領域全体に緊急警告の点滅表示を行うように前記表示部を制御することを特徴とする、請求項１に記載のデジタルオーディオ放送の受信機。
【請求項１４】
前記キー監視部が所定のキー操作を検出して受信中の他のアンサンブルを表示する画面に切り替えると、前記表示処理部は前記他のアンサンブルのラベルとそれに含まれる複数のサービスのラベルとを表示する、ことを特徴とする請求項１に記載のデジタルオーディオ放送の受信機。
【請求項１５】
前記表示処理部は、前記サービスのラベル毎に前記アンサンブルのラベルを表示することを特徴とする、請求項１４に記載のデジタルオーディオ放送の受信機。
【発明の詳細な説明】
【０００１】
【発明の属する技術分野】
本発明はデジタルオーディオ放送（ＤＡＢ）の受信機に関し、特にデジタルオーディオ放送により提供されるサービス内容などのデータを活用しユーザーにサービス内容を通知してデジタルオーディオ放送をより利用し易くできる受信機に関する。
【０００２】
【従来の技術】
上記デジタルオーディオ放送は、例えば、直交周波数多重方式（ＯＦＤＭ）により行われる。直交周波数多重方式では、例えば、モード１の場合には１ｋＨｚの間隔で１５３６の副搬送波が位相変調等され、１．５３６ＭＨｚの帯域に一括して、複数のサービス提供局のサービスが１つの放送グループとして１つの送信周波数により放送される。各サービス提供局のサービスは音声やデータで構成される複数のサービスコンポーネントを有する。上記の一つの放送グループをアンサンブルという。複数のアンサンブルが設けられ、各々のアンサンブルは一定の範囲のサービスエリアを有し、サービスエリアの境界で重複する。
【０００３】
【発明が解決しようとする課題】
ところで、あるサービスコンポーネントにアクセスするためにはその属するサービスを選択しなければならない。このため、受信機には、ユーザーの便宜のためにアンサンブルに含まれるサービス提供局を示す各サービスのラベルに複数のサービスコンポーネントのラベルが表示される。受信機の表示領域は必ずしも大きくないので、複数のサービスラベルと各サービスラベルに対して複数のサービスコンポーネントラベルとが表示されると、表示が画面から溢れてしまい、スクロールしながら所望のサービスを探さなければならず、表示操作が容易でないという問題がある。
【０００４】
さらに、受信中のアンサンブル以外の他のアンサンブルのサービスを知りたい場合に、上記の如く、あるアンサンブルの複数のサービスラベルと各サービスラベルに対するサービスコンポーネントラベルとの表示に加えて、複数のアンサンブルのサービスを表示することはさらにスクロールが頻繁になり、所望のサービスを探すには表示操作が容易でないという問題がある。このように、表示すべき情報が増えると、その情報を探す表示操作が煩雑となる。
【０００５】
したがって、本発明は、上記問題点に鑑み、表示操作を簡単に行うことができるデジタルオーディオ放送の受信機を提供することを目的とする。
【０００６】
【課題を解決するための手段】
本発明は、前記問題点を解決するために、複数のサービスコンポーネントを有するサービスが複数一括して１つの送信周波数により放送されるアンサンブルを受信するデジタルオーディオ放送の受信機において、前記アンサンブルの情報を表示する表示部と、受信したデータを分析して非定常に加わるデータを前記表示部に表示する制御を行うための受信データ制御部と、前記表示部の表示画面を切り替えるキーを監視するキー監視部と、前記アンサンブルの情報を分類し、各々が切り換えられた画面に表示されて一つの画面の表示量が減るように前記表示部への表示処理を行う表示処理部とを備えることを特徴とする。この手段により、表示画面が小さくてもスクロール操作による操作が少なくなり表示操作が容易になる。
【０００７】
【発明の実施の形態】
以下本発明の実施の形態について図面を参照して説明する。
図１は本発明に係るデジタルオーディオ放送の受信機を説明する図である。本図に示す如く、アンテナ１により直交周波数多重変調が行われた信号が受信され、高周波増幅器２により受信信号が増幅され、フェーズロックループ（ＰＬＬ）３により所望のアンサンブルが選局され、復調部４により副搬送波が高速フーリエ変換され、チャンネルデコーダ５により誤り訂正の復号が行われ、オーディオデコーダ６により音声圧縮の復号が行われ、Ｄ／Ａ変換器７(Digital to Analog Converter) 、電力増幅器８、スピーカ９を経由して音声が出力される。なお、チャンネルデコーダ５、オーディオデコーダ６は各々集積回路（ＩＣ）により構成される。
【０００８】
制御用マイクロコンピュータ１０は高周波増幅器２、復調部４、チャンネルデコーダ５、オーディオデコーダ６の動作タイミングを制御し、フェーズロックループ３に選局のためのＮ値を出力して受信するアンサンブルを特定し、チャンネルデコーダ５からデータを抽出して表示部１１への表示を制御する。
図２はデジタルオーディオ放送のサービス構造例を示す図である。本図に示す如く、デジタルオーディオ放送のアンサンブルは”アンサンブル１”のラベルにより認識され、アンサンブル１内で複数のサービス１、２、３…がアクセス可能である。各サービスは複数のサービスコンポーネントを含む。例えば、サービス１はオーディオ（Audio)、交通情報（TMC)、データ（Data）のようなサービスコンポーネントを具備する。伝送フレームは高速情報チャンネル（ＦＩＣ）とメインサービスチャンネル（ＭＳＣ）からなり、メインサービスチャンネルは各サービスのサービスコンポーネントを構成するサブチャンネル（ＳｕｂＣｈａ，ｂ，ｃ，ｄ…）を有する。高速情報チャンネルはその高速情報データチャンネル（ＦＩＤＣ）に交通情報を有し、さらに、アンサンブルのラベル、各サービスのラベル、各サービスコンポーネントのラベル等を有する。
【０００９】
図３は表示部１１の例を示す図である。本図に示す如く、表示部１１は表示窓１１Ａと、切替キー１１Ｂと、他アンサンブルキー１１Ｃと、番組情報キー１１Ｄと、発光ダイオード（ＬＥＤ）１１Ｅとを有する。
図１に戻り、制御用マイクロコンピュータ１０はチャンネルデコーダ５等からの受信データを入力し伝送フレーム中の高速情報チャンネルを分析して非定常に加わるデータの表示の制御を行うための受信データ制御部１２と、表示される画面を切り換える表示部１１のキー状態を監視するキー状態監視部１３と、表示部１１への表示処理を行う表示処理部１４とを有する。
【００１０】
図４は受信データ制御部１２、キー状態監視部１３、表示処理部１４の動作を説明する制御用マイクロコンピュータ１０のメインループのフローチャートである。本図に示す如く、ステップＳ１において受信データ制御部１２の動作を行い、ステップＳ２においてキー状態監視部１３の動作を行い、ステップＳ３において表示処理部１４の動作を行う。
【００１１】
図５は図４の受信データ制御を説明するフローチャートである。本図に示す如く、ステップＳ１１において未取得の高速情報チャンネル（ＦＩＣ）のデータが有れば、ステップＳ１２においてチャンネルデコーダ５から高速情報チャンネルのデータを読み込む。ステップＳ１３において取得した高速情報チャンネルのデータ中に非定常の緊急情報が有ればステップＳ１４において変数disp ems （display emergency の略）＝１とする。
【００１２】
ステップＳ１５において受信状況を取得する。すなわち、チャンネルデコーダ５からデコード結果の情報を取得する。なお、高周波増幅器２よりＳレベルを取得してもよい。ステップＳ１６において取得した受信状況の変化があれば、ステップＳ１７において変数disp err （display error の略）＝１とする。
ステップＳ１８において選択中のサブチャンネルがオーディオであり、ステップＳ１９において選択中のサブチャンネルの付加情報であるＰＡＤ（Program Associated Data)が未取得であればステップＳ２０においてオーディオデコーダ６からＰＡＤを取得する。
【００１３】
ステップＳ２１において多重再構成が発生すればステップＳ２２において変数disp reconf（display reconfiguration の略）＝１とする。ここに多重再構成の発生とは災害発生時、緊急時等に災害メッセージ、緊急メッセージを差し込むためなどにより伝送フレームの構成が変わることである。なお、この多重再構成の発生の事前通知は高速情報チャンネルの解析を行うことにより得られる。
【００１４】
図６は図４のキー状態監視を説明するフローチャートである。本図に示す如く、ステップＳ３１において切替キー１１Ｂが押下されたらステップＳ３１において変数disp service ＝１とする。ステップＳ３３において変数disp mode≠０ならばステップＳ３４において変数disp mode＝１とし、ステップＳ３３において変数disp mode≠０でないならばステップＳ３５において表示対象を変更する。
【００１５】
ステップＳ３６において番組情報キー１１Ｄが押下されたらステップＳ３７において変数disp service ＝１としステップＳ３８において変数disp mode＝１とする。
ステップＳ３９において他アンサンブルキー１１Ｃが押下されたらステップＳ４０において変数disp service ＝１とし、ステップＳ４１において変数disp mode≠２ならばステップＳ４２において変数disp mode＝２としステップＳ４１において変数disp mode≠２でなければステップＳ４３において変数disp other を変更する。
【００１６】
図７は図４の表示処理を説明するフローチャートである。本図に示す如く、ステップＳ５１において変数disp service ＝１ならばステップＳ５２においてサービス情報の表示を行い、ステップＳ５３において変数disp service ＝０とする。
ステップＳ５４において変数disp reconf＝１ならばステップＳ５５において多重再構成（Multiplex re-configuration）発生の通知を行い、ステップＳ５６において変数disp reconf＝０とする。この通知があると実際に再構成が行われるまでの間、表示部１１の発光ダイオード（ＬＥＤ）１１が点滅して通知が行われる。この点滅により表示操作を行わずに通知が行われる。
【００１７】
ステップＳ５７において変数disp err ＝１ならばステップＳ５８において受信状況の表示を行い、変数disp err ＝０とする。
ステップＳ６０において変数disp ems ＝１ならばステップＳ６１において緊急情報受信の通知を行い、変数disp ems ＝０とする。緊急情報受信の通知があったら、例えば、ビープ音などと共に表示部１１の表示領域全体に”緊急警告”の点滅を表示する。この点滅表示のため警告情報を探す表示操作が不要となる。その後は適当な時間点滅表示後に緊急情報内容を表示するかあるいはユーザーが内容表示させるためのキーを押下などしたら緊急情報内容を表示する。キー押下により緊急情報内容が表示されるので、情報を探す表示操作が不要となる。
【００１８】
図８はサービス情報の表示を説明するフローチャートである。本図に示す如く、ステップＳ７１において変数disp mode＝０ならばステップＳ７２において変数disp mode＝０での表示を行う。
ステップＳ７３において変数disp mode＝１ならばステップＳ７４において番組タイプを表示する。
【００１９】
ステップＳ７５において変数disp mode＝２ならばステップＳ７６において変数disp other で示す表示を行う。
図９は変数disp mode＝０の場合のサービス情報の表示を説明するフローチャートである。本図に示す如く、ステップＳ８１において表示対象のフラグで示されるサービス内容又は番組タイプ（サービスコンポーネント）をもつサービスを抽出する。ステップＳ８２においてＰＡＤ情報があればステップＳ８３において（Ａ）マークを（Ｍ）又は（Ｓ）マークに変更する。ステップＳ８４において変更マークの表示を行う。
【００２０】
ステップＳ８５において更新時刻情報が有ればステップＳ８６において更新時刻を表示する。
ステップＳ８７において番組開始時刻情報が有れば、番組開始時刻を表示する。
図１０は図７のステップＳ５２におけるサービス情報の表示例を説明する図である。図の説明の前に、受信中のアンサンブルの高速情報チャンネルが解析されることにより、そのアンサンブルの構成情報が取得されサービスラベルの周辺にそのサービスのもつサービスコンポーネントの情報の種類がマーク表示される。アンサンブルの構成情報には、前述の如く、アンサンブル中に存在するサービス、各サービスがもつサービスコンポーネント、各サービスコンポーネントの伝送フレーム中のサブチャンネルＩＤ、存在場所、サイズ、その他サービスに関する種々のデータが存在する。
【００２１】
本図（ａ）に示す如く、表示窓１Ａの左側には現在受信中のアンサンブルのラベル、サービスのラベルが、例えば、アンサンブル１、サービス１のように、表示される。表示窓の左側の上には表示される情報の種類が、例えば、ＡＬＬのように表示される。そして表示される情報の種類の下側にアンサンブルに含まれるサービスのラベルが、例えば、サービス１、２、３、４、５、６が表示され、各サービスラベルの前にはマークとして（Ａ）、（Ｄ）、（Ｅ）、（Ｐ）、（Ｔ）等が表示される。本図（ｂ）に示す如く、サービスラベルの前に付されたマークはサービスが有するコンポーネントを表す。
【００２２】
ここに、（Ａ）はオーディオのコンポーネントのマークであり、（Ｄ）は一般データのコンポーネントのマークであり、（Ｅ）は緊急情報のコンポーネントのマークであり、（Ｐ）はページングデータのコンポーネントのマークであり、（Ｔ）は交通情報のコンポーネントのマークである。なお、マーク表示は一例であり、単にＡ、Ｄ、Ｅ、Ｐ、Ｔであってもよく、種々の変形がある。
【００２３】
このように、各サービスラベルに各サービスが有するコンポーネントがマークで表示されることにより、表示量が軽減され、表示操作が容易となる。
さらに、本図（ｃ）に示す如く、切替キー１１Ｂが押下される毎に、表示される情報の種類がＡＬＬ→オーディオ→交通情報→ページングデータ→緊急情報→一般データ等のように変更される（図６のステップＳ３１〜ステップＳ３５参照）。
【００２４】
図１１は図１０の表示される情報の種類が交通情報の場合の表示例を示す図である。本図に示す如く、切替キー１１Ｂにより交通情報をもつサービスのラベルのみ表示され、表示量が軽減されさらに表示操作が容易になる。
図１２は図９のステップＳ８３におけるマークの変更を説明する図である。本図に示す如く、選択されたサービスコンポーネントがオーディオの場合で、伝送フレーム中のＰＡＤ中のミュージック／スピーチのフラグなどから選択されたオーディオチャンネルがミュージックチャンネルかスピーチチャンネルかを判断できる場合には図１０の（Ａ）のマークに代わり（Ｍ）のマーク又は（Ｓ）のマークに変更する。これにより、表示量を増やさないでより詳細な情報を得ることができる。
【００２５】
図１３は図８の番組タイプ表示を説明する図である。本図（ａ）に示す如く、番組情報キー１Ｄを押下し、切替キー１Ｂを押下して表示される番組タイプの種類をＡＬＬにすると、受信中のアンサンブルにおける現在の各サービスの番組タイプが表示される。すなわち、サービス１の後にスポーツ、サービス２の後にニュース、サービス３の後にポップ、サービス４の後にドラマ、サービス５の後にロック、サービス５の後にライトクラシックのようにサービスコンポーネントのラベルが表示される。本図（ｂ）に示す如く、表示される番組タイプの種類は切替キー１１Ｃを押下すると、ＡＬＬ→スポーツ→ニュース→ドラム→ポップ→ロック→ライトクラシックなどのように表示される番組タイプの種類が変更される（図６のステップＳ３１〜ステップＳ３８参照）。このように、番組タイプの表示を前述のマーク表示とは別の画面に表示することにより表示操作が容易となる。
【００２６】
図１４は図１３の表示される番組タイプの種類がロックの場合の表示例を示す図である。本図に示す如く、番組情報キー１１Ｄによりロックの番組タイプをもつサービスのラベルのみ表示され、表示量が軽減されさらに表示操作が容易になる。
図１５は図９のステップＳ８６における更新時刻の表示例を説明する図である。本図に示す如く、現在表示しているアンサンブル内容の更新時刻が表示される。更新時刻は最後にアンサンブル関連情報が更新（新情報追加、既存情報の変更時等）された時刻である。このように、更新時刻を単独に表示せず、サービスラベルと一体に表示することにより表示操作が容易となる。
【００２７】
図１６は図９のステップＳ８８における番組開始時刻の表示例を説明する図である。本図に示す如く、現在選択されているサービスコンポーネントの番組開始時刻を表示する。このように、番組開始時刻を単独に表示せず、サービスラベルと一体に表示することにより表示操作が容易となる。
図１７は図７のステップＳ５８における受信状況の表示の例を説明する図である。本図に示す如く、選択されているオーディオチャンネルの受信状況が表示される。表示例（１）のように、受信状況は、オーディオデコーダ６からのデコードの結果に基づき又は高周波増幅器２からのＳレベルに基づいて受信状況を段階的に表示される。表示例（２）のように、ある一定レベルのエラーが発生したらエラーマーク”Ｅ”の表示を単独では無くサービスのラベルと一体に行う。これにより表示操作が容易となる。
【００２８】
図１８は図８のステップＳ７６の表示を説明する図である。前述の如く、高速情報チャンネルには受信中のアンサンブルと共に他のアンサンブル情報が含まれておりこれを解析することにより他のアンサンブルの情報を得ることができる。本図に示す如く、他アンサンブルキー１１Ｃを押下すると、表示される種類に他アンサンブル情報と表示され、受信中のアンサンブルと共に他のアンサンブルのサービスの情報が表示される。さらに、本図にはアンサンブルとサービスとが１対１に表示される。その後何秒後かに元に戻してもよい。また、切替キー１Ｂが押下されたら元に戻してもよい。
【００２９】
このように、受信中のアンサンブルと他のアンサンブルとのサービスの表示を別の画面に表示するようにしたので、表示操作が容易となる。
図１９は図１８の変形例を示す図である。本図に示す如く、他アンサンブルキー１１Ｃがさらに押下されると、アンサンブル毎にサービスが表示される。さらに本図にはアンサンブル１にはサービス１、２、３が属し、アンサンブル２にはサービス２、４が属し、アンサンブル３にはサービス１が属するように表示される。このようにして、表示量が減り表示操作が容易になる。
【００３０】
図２０は図１８の別の変形例を示す図である。本図に示す如く、他アンサンブルキー１１Ｃがさらに押下されると、サービス毎にアンサンブルが表示される。さらに本図にはサービス１にはアンサンブル１、２が属し、サービス２にはアンサンブル１、２が属し、サービス３にはアンサンブル１が属し、サービス４にはアンサンブル２が属するように表示される。このようにして表示量が減り表示操作が容易になる。
【００３１】
なお、他アンサンブルキー１１Ｃが押下される毎に、変数disp other が０→１、１→２、２→０のように変更される（図６のステップＳ４３参照）。
【００３２】
【発明の効果】
以上の説明により本発明によれば、アンサンブルの情報を分類し、各々が切り換えられた画面に表示され且つ一つの画面の表示量が減るように表示部への表示処理を行うようにしたので、表示画面が小さくてもスクロール操作による操作が少なくなり表示操作が容易になる。
【図面の簡単な説明】
【図１】本発明に係るデジタルオーディオ放送の受信機を説明する図である。
【図２】デジタルオーディオ放送のサービス構造例を示す図である。
【図３】表示部１１の例を示す図である。
【図４】受信データ制御部１２、キー状態監視部１３、表示処理部１４の動作を説明する制御用マイクロコンピュータ１０のメインループのフローチャートである。
【図５】図４の受信データ制御を説明するフローチャートである。
【図６】図４のキー状態監視を説明するフローチャートである。
【図７】図４の表示処理を説明するフローチャートである。
【図８】サービス情報の表示を説明するフローチャートである。
【図９】変数disp mode＝０の場合のサービス情報の表示を説明するフローチャートである。
【図１０】図７のステップＳ５２におけるサービス情報の表示例を説明する図である。
【図１１】図１０の表示される情報の種類が交通情報の場合の表示例を示す図である。
【図１２】図９のステップＳ８３におけるマークの変更を説明する図である。
【図１３】図８の番組タイプ表示を説明する図である。
【図１４】図１３の表示される番組タイプの種類がロックの場合の表示例を示す図である。
【図１５】図９のステップＳ８６における更新時刻の表示例を説明する図である。
【図１６】図９のステップＳ８８における番組開始時刻の表示例を説明する図である。
【図１７】図７のステップＳ５８における受信状況の表示の例を説明する図である。
【図１８】図８のステップＳ７６の表示を説明する図である。
【図１９】図１８の変形例を示す図である。
【図２０】図１８の別の変形例を示す図である。
【符号の説明】
１…アンテナ
２…高周波増幅器
３…フェーズロックループ
４…復調部
５…チャンネルデコーダ
６…オーディオデコーダ
７…Ｄ／Ａ変換器
８…電力増幅器
９…スピーカ
１０…制御用マイクロコンピュータ
１１…表示部
１２…受信データ制御部
１３…キー状態監視部
１４…表示処理部
【図１】
0003821546.tif 000002
【図２】
0003821546.tif 000003
【図３】
0003821546.tif 000004
【図４】
0003821546.tif 000005
【図５】
0003821546.tif 000006
【図６】
0003821546.tif 000007
【図７】
0003821546.tif 000008
【図８】
0003821546.tif 000009
【図９】
0003821546.tif 000010
【図１０】
0003821546.tif 000011
【図１１】
0003821546.tif 000012
【図１２】
0003821546.tif 000013
【図１３】
0003821546.tif 000014
【図１４】
0003821546.tif 000015
【図１５】
0003821546.tif 000016
【図１６】
0003821546.tif 000017
【図１７】
0003821546.tif 000018
【図１８】
0003821546.tif 000019
【図１９】
0003821546.tif 000020
【図２０】
0003821546.tif 000021